(57)【特許請求の範囲】
【請求項１】
生体に装着され、当該生体が発する少なくとも１種類の測定対象音を検出する生体音センサが検出した測定対象音を含む音データを取得する音データ取得手段と、
上記音データ取得手段が取得した音データに基づいて上記生体音センサの装着位置の適否を判定する判定手段とを備え、
上記音データ取得手段は、上記生体音センサが複数の装着位置で検出した複数の音データを取得し、
上記判定手段は、上記音データ取得手段が取得した複数の音データに含まれる測定対象音を互いに比較することにより、上記装着位置の適否を相対的に判定することを特徴とする測定位置判定装置。
【請求項２】
上記判定手段は、上記音データが示す測定対象音の振幅を所定の基準値と比較した結果に基づいて上記装着位置の適否を判定することを特徴とする請求項１に記載の測定位置判定装置。
【請求項３】
上記生体音センサは、上記生体が発する複数種類の測定対象音を検出するものであり、
上記判定手段は、上記音データに含まれる複数種類の測定対象音に基づいて上記装着位置の適否を判定することを特徴とする請求項１に記載の測定位置判定装置。
【請求項４】
上記判定手段は、上記複数種類の測定対象音の振幅が、測定対象音の種類に対応する所定の基準値に達しているかどうかに基づいて上記装着位置の適否を判定することを特徴とする請求項３に記載の測定位置判定装置。
【請求項５】
上記音データ取得手段は、装着位置の異なる複数の上記生体音センサからそれぞれ得られる複数の音データを取得することを特徴とする請求項１から４までのいずれか１項に記載の測定位置判定装置。
【請求項６】
上記判定手段の判定結果を報知する報知部をさらに備えることを特徴とする請求項１から５までのいずれか１項に記載の測定位置判定装置。
【請求項７】
上記報知部は、上記判定手段が判定する上記装着位置の適否に応じて、報知態様を変化させることを特徴とする請求項６に記載の測定位置判定装置。
【請求項８】
生体に装着され、当該生体が発する少なくとも１種類の測定対象音を検出する生体音センサが検出した測定対象音を含む音データを取得する音データ取得ステップと、
上記音データ取得ステップにて取得された音データに基づいて上記生体音センサの装着位置の適否を判定する判定ステップとを含み、
上記音データ取得ステップにおいて、上記生体音センサが複数の装着位置で検出した複数の音データを取得し、
上記判定ステップにおいて、上記音データ取得ステップで取得した複数の音データに含まれる測定対象音を互いに比較することにより、上記装着位置の適否を相対的に判定することを特徴とする測定位置判定方法。
【請求項９】
コンピュータを、請求項１から７までのいずれか１項に記載の測定位置判定装置の各手段として機能させるための制御プログラム。
【請求項１０】
請求項９に記載の制御プログラムを記録したコンピュータ読み取り可能な記録媒体。
【発明の詳細な説明】
【技術分野】
【０００１】
本発明は、生体に装着する音センサの装着位置の適否を判定する判定装置および判定方法に関する。
【背景技術】
【０００２】
睡眠時無呼吸症候群の簡易検査方法として、パルスオキシメトリー法やフローセンサ法が知られている。パルスオキシメトリー法は、血中酸素飽和度（ＳｐＯ２）または脈拍を測定し、無呼吸の有無を調べる方法である。このような方法の一例が特許文献１および２に開示されている。
【０００３】
また、特許文献３に開示されているように、血中酸素飽和度と同時に呼吸音、いびき音、体動または体位を測定し、測定精度を高めることも行われている。また、口または鼻の気流を測定するフローセンサによる簡易検査方法も存在している。
【０００４】
また、特許文献１に記載の発明では、無呼吸の指標の変化と、それ以外の関連する生理学的指標（運動量、肥満情報、血圧など）の変化とを併せて表示することにより、無呼吸症候群の症状を改善するための療法を被験者が行う動機付けを行っている。
【先行技術文献】
【特許文献】
【０００５】
【特許文献１】特開２００８−５９６４号公報（２００８年１月１７日公開）
【特許文献２】特開２００８−１１０１０８号公報（２００８年５月１５日公開）
【特許文献３】特開２００９−２４０６１０号公報（２００９年１０月２２日公開）
【発明の概要】
【発明が解決しようとする課題】
【０００６】
ところが、上記従来の構成では、血中酸素飽和度を測定するためにパルスオキシメータを使用しており、この場合指先にセンサを装着する。また、呼吸音を測定するためのセンサは鼻先に装着する。そのため、睡眠中に被験者が動いた場合には、センサが外れるなどの原因により正確な測定ができない可能性がある。
【０００７】
呼吸音等の生体音を検出するセンサを胸に装着することにより上述の問題は解決するが、胸のどこに装着することが好ましいかが、医学的な知識に乏しいユーザには分かり難い場合がある。
【０００８】
本発明は、上記の問題点を解決するためになされたもので、その目的は、生体音を検出する生体音センサの適切な装着位置を判定する測定位置判定装置を提供することにある。
【課題を解決するための手段】
【０００９】
本発明に係る測定位置判定装置は、上記の課題を解決するために、生体に装着され、当該生体が発する少なくとも１種類の測定対象音を検出する生体音センサが検出した測定対象音を含む音データを取得する音データ取得手段と、上記音データ取得手段が取得した音データに基づいて上記生体音センサの装着位置の適否を判定する判定手段とを備え、上記音データ取得手段は、異なる装着位置の上記生体音センサから複数の音データを取得し、上記判定手段は、上記音データ取得手段が取得した複数の音データに含まれる測定対象音を互いに比較することにより、上記装着位置の適否を相対的に判定することを特徴とすることを特徴としている。
【００１０】
本発明に係る測定位置判定方法は、上記の課題を解決するために、生体に装着され、当該生体が発する少なくとも１種類の測定対象音を検出する生体音センサが検出した測定対象音を含む音データを取得する音データ取得ステップと、上記音データ取得ステップにて取得された音データに基づいて上記生体音センサの装着位置の適否を判定する判定ステップとを含み、上記音データ取得ステップにおいて、異なる装着位置の上記生体音センサから複数の音データを取得し、上記判定ステップにおいて、上記音データ取得ステップで取得した複数の音データに含まれる測定対象音を互いに比較することにより、上記装着位置の適否を相対的に判定することを特徴としている。
【００１１】
上記の構成によれば、生体が発する少なくとも１種類の測定対象音を検出する生体音センサが生体に装着され、音データ取得手段は、上記生体音センサが検出した測定対象音の音データを取得する。異なる装着位置の生体音センサが検出した測定対象音の複数の音データを取得する。判定手段は、音データ取得手段が取得した複数の音データに含まれる測定対象音を互いに比較することにより生体音センサの装着位置が適当かどうかを判定する。
【００１２】
それゆえ、生体音センサをどこに装着すればよいか分からないユーザに対して、装着位置が適当かどうかを報知することができる。
【００１３】
また、上記判定手段は、上記音データが示す測定対象音の振幅を所定の基準値と比較した結果に基づいて上記装着位置の適否を判定することが好ましい。
【００１４】
上記の構成によれば、ある装着位置における測定対象音の振幅を基準値と比較することにより、その装着位置の適否が判定される。
【００１５】
それゆえ、生体音センサを装着した位置が一箇所の場合でも、その装着位置が好ましいものであるかどうかをユーザに報知することができる。
【００１６】
また、上記生体音センサは、上記生体が発する複数種類の測定対象音を検出するものであり、上記判定手段は、上記音データに含まれる複数種類の測定対象音に基づいて上記装着位置の適否を判定することが好ましい。
【００１７】
上記の構成によれば、１つの生体音センサによって同時に複数種類の生体音を検出する。判定手段は、生体音センサが検出した複数種類の測定対象音に基づいて装着位置の適否を判定する。例えば、複数種類の測定対象音が所定の条件を満たしているかどうかに基づいて装着位置の適否を判定する。
【００１８】
それゆえ、測定対象音が複数存在している場合でも、好ましい装着位置をユーザに報知できる。
【００１９】
また、上記音データ取得手段は、装着位置の異なる複数の上記生体音センサからそれぞれ得られる複数の音データを取得することが好ましい。
【００２０】
上記の構成によれば、複数の生体音センサが生体に装着され、各生体音センサから音データが出力される。音データ取得手段は、このように出力された複数の音データを取得する。そして判定手段は、取得された複数の音データに含まれる測定対象音を互いに比較することにより、どの装着位置がより好ましいかを相対的に判定する。
【００２１】
それゆえ、ユーザは生体音センサを複数の位置に試しに装着することで、どの位置がより好ましいか（または、最も好ましいか）を知ることができ、適切な装着位置を簡便に知ることができる。
【００２２】
また、上記判定手段は、上記複数種類の測定対象音の振幅が、測定対象音の種類に対応する所定の基準値に達しているかどうかに基づいて上記装着位置の適否を判定することが好ましい。
【００２３】
上記の構成によれば、測定対象音の振幅に関する所定の基準値が、測定対象音の種類に応じて設定されており、生体音センサが検出した各測定対象音の振幅が所定の基準値に達しているかどうかで装着位置の適否が判定される。
【００２４】
それゆえ、測定対象音が複数存在している場合でも、各測定対象音の振幅を基準として好ましい装着位置をユーザに報知できる。
【００２５】
また、上記判定手段の判定結果を報知する報知部をさらに備えることが好ましい。
【００２６】
上記の構成により、判定手段の判定結果をユーザに報知できる。
【００２７】
また、コンピュータを、上記測定位置判定装置の各手段として機能させるための制御プログラムおよび当該制御プログラムを記録したコンピュータ読み取り可能な記録媒体も本発明の技術的範囲に含まれる。
【発明の効果】
【００２８】
以上のように、本発明に係る測定位置判定装置は、生体に装着され、当該生体が発する少なくとも１種類の測定対象音を検出する生体音センサが検出した測定対象音を含む音データを取得する音データ取得手段と、上記音データ取得手段が取得した音データに基づいて上記生体音センサの装着位置の適否を判定する判定手段とを備え、上記音データ取得手段は、異なる装着位置の上記生体音センサから複数の音データを取得し、上記判定手段は、上記音データ取得手段が取得した複数の音データに含まれる測定対象音を互いに比較することにより、上記装着位置の適否を相対的に判定する構成である。
【００２９】
また、本発明に係る測定位置判定方法は、生体に装着され、当該生体が発する少なくとも１種類の測定対象音を検出する生体音センサが検出した測定対象音を含む音データを取得する音データ取得ステップと、上記音データ取得ステップにて取得された音データに基づいて上記生体音センサの装着位置の適否を判定する判定ステップとを含み、上記音データ取得ステップにおいて、異なる装着位置の上記生体音センサから複数の音データを取得し、上記判定手ステップにおいて、上記音データ取得ステップで取得した複数の音データに含まれる測定対象音を互いに比較することにより、上記装着位置の適否を相対的に判定する構成である。
【００３０】
それゆえ、生体音センサをどこに装着すればよいか分からないユーザに対して、装着位置が適当かどうかを報知することができるという効果を奏する。
【図面の簡単な説明】
【００３１】
【図１】本発明の一実施形態に係る計測装置の構成を示す概略図である。
【図２】上記計測装置が備える音センサの構成を示す断面図である。
【図３】（ａ）は最大値設定方法を説明するための図であり、（ｂ）は最大振幅値に近づくにつれて変化する判定音の一例を示す図である。
【図４】上記計測装置における処理の流れの一例を示すフローチャートである。
【図５】本発明の別の実施形態に係る計測装置の構成を示す概略図である。
【図６】上記計測装置における処理の流れの一例を示すフローチャートである。
【発明を実施するための形態】
【００３２】
〔実施の形態１〕
本発明の実施の一形態について図１〜図４に基づいて説明すれば、以下のとおりである。本実施形態では、無呼吸状態を検出する計測装置（測定位置判定装置）３０について説明するが、本発明は無呼吸状態を検出する計測装置に限定されず、被験者（生体）に装着され、生体音を検出する音センサを備える計測装置であればよく、無呼吸症以外の症状を検出する計測装置にも適用できる。
【００３３】
なお、以下の説明では、計測装置３０は、被験者によって操作されるものとして説明するが、被験者以外の、医療関係者等のユーザによって操作されてもよい。
【００３４】
計測装置３０は、音センサ（生体音センサ）２０の装着位置の好ましさを判定音などによって被験者に知らせることで、適切な位置に音センサ２０を装着させるよう被験者を誘導するものである。図１は、計測装置３０の構成を示す概略図である。同図に示すように、計測装置３０は、解析装置１および音センサ２０を備えている。
【００３５】
＜音センサ２０＞
音センサ２０は、被験者の胸などに装着され、当該被験者が発する呼吸音を検出する密着型のマイクロフォンである。音センサ２０として、例えば特開２００９−２３３１０３号公報に記載の密着マイクロフォンを利用できる。図２は、音センサ２０の構成を示す断面図である。同図に示すように、音センサ２０は、いわゆるコンデンサマイクロフォン方式の集音ユニットであり、円柱形状で一端面が開口した筐体部２１と、筐体部２１の開口面を閉塞するように筐体部２１に密着したダイアフラム２３とを備えている。また、音センサ２０は、第１変換部２５および第２変換部２７を搭載した基板２８と、第１変換部２５および第２変換部２７に電源を供給するバッテリ部２９とを備えている。
【００３６】
ダイアフラム２３の表面には粘着剤層２４が設けられており、この粘着剤層２４によって音センサ２０が被験者の体表面（Ｈ）に装着される。音センサ２０の装着位置は、例えば胸であり、呼吸音が効果的に拾える箇所であればよい。
【００３７】
ダイアフラム２３は、患者が咳や呼吸、嚥下などを行うことにより生体音を発すると、この生体音の波長に合わせて微小振動する。このダイアフラム２３の微小振動は、上面及び下面が開口した円錐形状の空気室壁２６を伝って第１変換部２５に伝搬される。
【００３８】
空気室壁２６を介して伝えられえた振動は、第１変換部２５によって電気信号に変換され、第２変換部２７によってデジタル信号に変換されて、生体音データとして解析装置１の生体音抽出部３に送信される。
【００３９】
音センサ２０と解析装置１とは、通信可能に接続されていればよく、有線接続されていてもよいし、無線接続されていてもよい。ただし、無線接続する方が、配線が邪魔にならないため好ましい。また、音センサ２０に解析装置１が内蔵されていてもよい。
【００４０】
また、音センサ２０は、測定対象音が拾える箇所に装着されればよく、腹部音を拾う場合には、腹部に装着されればよい。
【００４１】
＜解析装置１＞
解析装置１は、音センサ２０から送信された生体音データを用いて被験者の無呼吸状態を検出する。図１に示すように、解析装置１は、主制御部２、記憶部７、操作部８、表示部９およびスピーカ（報知部）１０を備えており、主制御部２は、生体音抽出部（音データ取得手段）３、位置判定部（判定手段）４、症状検出部５およびデータ解析部６を備えている。
【００４２】
＜生体音抽出部３＞
生体音抽出部３は、音センサ２０から送信された生体音データを受信し、その生体音データから測定対象となる生体音（測定対象音）を抽出する。本実施形態では、生体音抽出部３は、生体音データから呼吸動作を反映した低周波数（７Ｈｚ以下）の信号（呼吸音信号と称する）を抽出する。
【００４３】
＜位置判定部４＞
位置判定部４は、生体音抽出部３が取得した生体音データに基づいて音センサ２０の装着位置の適否を判定する。より具体的には、位置判定部４は、生体音抽出部３が抽出した測定対象音を互いに比較することにより、音センサ２０の適否を相対的に判定する（第１の判定方法）。または、位置判定部４は、生体音抽出部３が抽出した測定対象音の振幅を所定の基準値と比較した結果に基づいて音センサ２０の装着位置の適否を判定する（第２の判定方法）。
【００４４】
（第１の判定方法）
第１の判定方法では、１つの音センサ２０の装着位置を異ならせて最適な装着位置を探索する場合には、現時点の装着位置における測定対象音の振幅と、前回の装着位置における測定対象音の振幅とを比較する。そして、前回の振幅よりも現時点の振幅の方が大きい場合には、判定音の発生間隔をより短くし、逆の場合には判定音の発生間隔をより長くする。
【００４５】
また、装着位置の異なる複数の音センサ２０からそれぞれ生体音データを受信してもよい。この場合、位置判定部４は、各生体音データから抽出された測定対象音を互いに比較し、振幅の最も大きい測定対象音が得られた音センサ２０を特定する情報（音センサ２０の番号など）を表示部９に表示する。
【００４６】
（第２の判定方法）
第２の判定方法では、位置判定部４は、予め段階的に定められた振幅の範囲（振幅レベル）と、生体音抽出部３が抽出した測定対象音の振幅とを比較し、測定対象音の振幅がどの振幅レベルに対応するのかを判定する。そして、位置判定部４は、判定された振幅レベルに応じた判定音を出力するようスピーカ１０を制御する。
【００４７】
上記振幅レベルは、例えば、３段階設定されており、振幅が大きい順に判定音の間隔が短くなるよう設定されている。
【００４８】
測定対象音の振幅と比較する基準値は１つでもよく、この基準値は、例えば、検出対象となる症状を検出するために必要な最低限度の振幅に相当する値である。
【００４９】
また、被験者によって発生する生体音の音量（振幅）は異なるため、被験者ごとに上記振幅の範囲または最大値を定めてもよい。そのために、好ましい振幅の範囲を設定するための基準値を決定する基準値設定モード、または振幅の最大値を設定する最大値設定モードを設けてもよい。
【００５０】
図３（ａ）は、最大値設定方法を説明するための図である。最大値設定モードでは、被験者は、人体５０における音センサ２０の装着位置を変更しながら生体音を音センサ２０に拾わせる。生体音抽出部３は、音センサ２０から送信された生体音データから順次生体音を抽出し、位置判定部４に出力する。位置判定部４は、受信した生体音の振幅を測定し、その振幅値を記憶部７に記憶する。
【００５１】
最大値設定モードが終了すると、位置判定部４は、記憶部７に記憶した複数の振幅値のうち最大の振幅値を当該被験者の最大振幅値として記憶部７に記憶する。
【００５２】
音センサ２０の装着位置の適否を判定するとき、位置判定部４は、図３（ｂ）に示すように、音センサ２０から出力された生体音の振幅の値が、上記最大振幅値に近づくにつれて判定音の間隔を短くする。図３（ｂ）は、最大振幅値に近づくにつれて変化する判定音の一例を示す図である。
【００５３】
一方、基準値設定モードでは、例えば、被験者から取得した振幅値の最大値から所定値を引いた値を基準値とし、この基準値を超えているかどうかを被験者に報知する。
【００５４】
このような基準値（または最大値）設定機能を位置判定部４に持たせてもよいし、位置判定部４とは異なる基準値設定部（または最大値設定部）を設けてもよい。また、基準値（または最大値）設定モードを所定の時間だけ設け、所定の時間後に自動的に装着位置を判定する通常のモードに移行させてもよい。
【００５５】
＜症状検出部５＞
症状検出部５は、生体音抽出部３が抽出した測定対象音の振幅、発生パターンなどを解析することにより、特定の症状を検出する。本実施形態では、症状検出部５は無呼吸状態を検出する。例えば、症状検出部５は、所定の振幅以上の振幅を有する呼吸音が１０秒間以上検出されなかった場合に、無呼吸状態であると判定する。症状の検出結果は、当該症状を検出した日時の情報とともに検出記録データとして記憶部７に格納される。
【００５６】
なお、症状検出部５において、呼吸音の検出閾値を２段階に設定し、無呼吸状態と低呼吸状態とを区別して検出してもよい。無呼吸とは、口および鼻の気流が１０秒以上停止することを意味し、低呼吸とは、１０秒以上換気量が５０％以上低下する状態を意味している。
【００５７】
計測装置３０を無呼吸症候群以外の症状を検出する装置として実現する場合には、症状検出部５は、測定対象音から検出対象の症状を検出すればよい。例えば、心音から心臓弁膜症、先天性心疾患、心不全などの症状を検出してもよいし、呼吸音の異常音から気胸、気管支喘息、閉塞性肺疾患などの症状を検出してもよい。また、腹部音（腸雑音）から無腸雑音（腸閉塞症）、低腸雑音（機能衰退）、高腸雑音（機能亢進性腸雑音）などの症状を検出してもよい。高腸雑音の症状が見られた後、腸音が消えると非常に重症であり、腸組織の壊死につながる可能性がある。また、高腸雑音は病気に対する腸の反応として始まる。
【００５８】
上述の各症状を症状検出部５において検出する方法は公知のものでよく、本発明の本質とは直接関係がないため、その説明は省略する。
【００５９】
＜データ解析部６＞
データ解析部６は、記憶部７に格納された検出記録データを中・長期的に解析し、被験者の症状の変化を示すグラフなどを作成する。データ解析部６の処理は、被験者の指示に従って随時行われてもよいし、定期的に行われてもよい。
【００６０】
例えば、データ解析部６は、無呼吸状態の発生頻度の長期的な変化と、無呼吸症に関連する生理学的指標（体重、血圧、日中の過眠時間など）および／または被験者の生活習慣（運動量など）の変化とを併せてグラフ等により表示することにより、被験者の生活習慣の変化によって無呼吸症候群の症状がどの程度改善されたのかを示してもよい。上記生理学的指標および生活習慣に関する情報は、操作部８を介して被験者によって入力され、記憶部７に記憶されればよい。
【００６１】
また、データ解析部６は、被験者の指示に従って、指定された日の就寝中に何回無呼吸状態があったかなどの情報を、検出記録データを解析することによって生成してもよい。例えば、１時間に１０秒以上呼吸が停止している状態が５〜１４回のときは軽症、１５〜２９回のときは中等症、３０回以上のときは重症というように、睡眠時無呼吸症候群の症状を段階別に示してもよい。無呼吸状態の回数は、表示部９において、数値、グラフ、表などの形式で表示されればよい。
【００６２】
なお、睡眠時無呼吸症候群は、「一晩（７時間）の睡眠中に１０秒以上の無呼吸状態が３０回以上起こる、または、睡眠１時間あたりの無呼吸数や低呼吸数が５回以上起こる」という症状が見られるものであると定義されている。
【００６３】
また、１時間あたりの無呼吸の回数と低呼吸の回数とを合わせた無呼吸・低呼吸指数（ａｐｎｅａ  ｈｙｐｏｐｎｅａ  ｉｎｄｅｘ；ＡＨＩ）が５以上であり、かつ日中の過眠などの症候を伴う場合に睡眠時無呼吸症候群とする定義もある。
【００６４】
また、この定義には当てはまらないものの、低呼吸状態を繰り返して不眠を訴える場合があり、その場合には患者のいびきや歯ぎしりがひどい場合が多いため、「いびき・歯ぎしり不眠症」と呼ばれる。
【００６５】
＜記憶部７＞
記憶部７は、主制御部２が実行する（１）各部の制御プログラム、（２）ＯＳプログラム、（３）アプリケーションプログラム、および、（４）これらプログラムを実行するときに読み出す各種データを記録するものである。記憶部７は、ハードディスク、フラッシュメモリなどの不揮発性の記憶装置によって構成される。
【００６６】
なお、生体音データを保存するために、脱着可能な記憶装置が解析装置１に備えられていてもよい。
【００６７】
＜操作部８＞
操作部８は、解析装置１に各種の設定値を入力したり、各種の命令を入力するための入力装置であり、例えば、入力ボタン、切り替えスイッチなどである。
【００６８】
＜表示部９＞
表示部９は、解析装置１の設定情報または解析結果などを表示するものであり、例えば、液晶ディスプレイである。
【００６９】
＜スピーカ１０＞
スピーカ１０は、ユーザに音センサ２０の装着位置の適否を報知する報知部であり、位置判定部４の判定結果に応じた音（判定音と称する）を発することにより、音センサ２０の装着位置の好ましさの程度をユーザに報知する。
【００７０】
この判定音は、音が発せられる間隔、音量または音色等によって装着位置の適否を示すものである。例えば、装着位置が好ましくない場合には判定音の間隔を長くし（「ピッ…、ピッ…、ピッ…」）装着位置が好ましい場合には判定音の間隔を短くしてもよい（「ピ、ピ、ピ」）。または、装着位置が好ましくない場合には判定音の音色を低くし、装着位置が好ましい場合には判定音の音色を高くしてもよい。または、装着位置の好ましさに応じて判定音の音量またはメロディを変えてもよいし、音声により装着位置の好ましさを通知してもよい。
【００７１】
また、音センサ２０から得られる生体音の振幅が、予め設定された最大振幅値に近づくにつれて判定音の間隔を短くしてもよい。
【００７２】
また、装着位置の好ましさを発光装置（例えば、発光ダイオード）の点灯パターンまたは発光色で示してもよい。また、表示部９において文字や図形によって装着位置の好ましさを示してもよい。また、装着位置の好ましさに応じて音センサ２０を振動させてもよい。これらの場合、発光装置、表示部９または音センサ２０が報知部となる。
【００７３】
また、スピーカ１０を音センサ２０に内蔵してもよい。
【００７４】
（計測装置３０における処理の流れ）
次に計測装置３０における処理の流れ（測定位置判定方法）の一例について説明する。図４は、計測装置３０における処理の流れの一例を示すフローチャートである。ここでは、１つの音センサ２０の装着位置を異ならせて最適な装着位置を探索する場合において、上述の第２の判定方法によって判定音の間隔を設定する構成について説明する。
【００７５】
図４に示すように、まず、被験者の胸に装着された音センサ２０は、生体音のモニタリングを継続的に行い（Ｓ１）、検出した生体音を含む生体音データを解析装置１の生体音抽出部３へ出力する。
【００７６】
生体音抽出部３は、生体音データを受信すると（音データ取得ステップ）、当該生体音データから７Ｈｚ以下の信号（呼吸音信号）を抽出し、抽出した呼吸音信号を位置判定部４へ出力する（Ｓ２）。
【００７７】
位置判定部４は、生体音抽出部３が抽出した呼吸音信号の振幅が、予め定められた振幅の範囲のいずれに含まれるかを判定し（判定ステップ）、判定した振幅の範囲に対応する判定音が出力されるようにスピーカ１０を制御する（Ｓ３）。
【００７８】
そして、スピーカ１０から位置判定部４が設定した判定音が出力される（Ｓ４）。
【００７９】
ここで、被験者が音センサ２０の装着位置を変更した場合（Ｓ５にてＮＯ）、ステップＳ１からＳ４までの処理が繰り返される。
【００８０】
被験者が音センサ２０の装着位置を決定し（Ｓ５にてＹＥＳ）、無呼吸症のモニタリングを開始する命令を入力すると、生体音抽出部３は、生体音データから呼吸音信号の抽出を行い、抽出した呼吸音信号を症状検出部５へ出力する。症状検出部５は、受信した呼吸音信号に対して無呼吸症のモニタリングを開始する（Ｓ６）。
【００８１】
症状検出部５は、所定の振幅以上の振幅を有する呼吸音信号が１０秒間以上検出されなかった場合に（Ｓ７にてＹＥＳ）、無呼吸状態であると判定し、その症状を検出した日時の情報および無呼吸状態が続いた時間を含む検出記録データを作成し、記憶部７に格納する（Ｓ８）。
【００８２】
その後、記憶部７に格納された検出記録データは、データ解析部６によって解析される。
【００８３】
（計測装置３０の効果）
以上のように、計測装置３０では、実際に音センサ２０が検出した呼吸音に基づいて、音センサ２０の適切な装着位置を判定し、音センサ２０をどこに装着すればよいか分からない被験者に対して、装着位置の好ましさを知らせることができる。それゆえ、被験者がより正確に測定を行えるよう補助することができる。
【００８４】
〔実施の形態２〕
本発明の他の実施形態について図５〜図６に基づいて説明すれば、以下のとおりである。なお、実施の形態１と同様の部材に関しては、同じ符号を付し、その説明を省略する。本実施形態の計測装置４０は、心音および呼吸音から無呼吸状態を検出するものであり、音センサ２０は、被験者が発する心音および呼吸音（複数種類の測定対象音）を検出するものである。
【００８５】
音センサ２０は、心音および呼吸音を検出するために胸と喉との間に装着されるが、その構成は、図２に示したものと同様のものでよい。
【００８６】
図５は、本実施形態の計測装置４０の構成を示す概略図である。同図に示すように、計測装置４０は、生体音抽出部３の代わりに生体音抽出部（音データ取得手段）４１を備え、位置判定部４の代わりに位置判定部（判定手段）４４を備えている。
【００８７】
＜生体音抽出部４１＞
生体音抽出部４１は、心音抽出部４２および呼吸音抽出部４３を備えている。
【００８８】
心音抽出部４２は、音センサ２０から送信された生体音データを受信し、その生体音データから心音（心臓音）を抽出する。正常な心音の場合、固有の周波数として３０Ｈｚと７０Ｈｚとの２つの周波数を有しており、心音抽出部４２は、これら３０Ｈｚおよび７０Ｈｚの信号を抽出する。
【００８９】
呼吸音抽出部４３は、生体音抽出部３と同様に生体音データから呼吸音を抽出する。
【００９０】
＜位置判定部４４＞
位置判定部４４は、生体音データに含まれる複数種類の測定対象音が所定の条件を満たしているかどうか基づいて音センサ２０の装着位置の適否を判定する。具体的には、位置判定部４４は、心音抽出部４２が抽出した心音の振幅が、心音について予め設定された基準値に達しているかどうか、および、呼吸音抽出部４３が抽出した呼吸音の振幅が、呼吸音について予め設定された基準値に達しているかどうかに基づいて音センサ２０の装着位置の適否を判定する。さらに、位置判定部４４は、複数の装着箇所（または、装着箇所の異なる複数の音センサ２０）における判定スコアを互いに比較し、より好ましい装着位置を判定する。
【００９１】
例えば、判定スコアを３段階設定し、心音および呼吸音の振幅がともに基準値に達している場合をスコア「３」（最適）とし、一方のみ基準値に達している場合をスコア「２」とし、両方とも基準値に達していない場合をスコア「１」として、各スコアに対応する判定音をスピーカ１０から出力させればよい。また、判定スコアは、４段階以上でもよく、心音および呼吸音の振幅の基準値を、振幅の大きさに応じて、それぞれ複数段階設けてもよい。
【００９２】
または、位置判定部４４は、判定スコアに応じて発光装置（例えば、ＬＥＤ（Light Emitting Diode））（不図示）の発光様式を異ならせてもよい。具体的には、例えば、心音および呼吸音それぞれに対して、判定スコアを２段階設定し、心音の判定スコアを示すＬＥＤと、呼吸音の判定スコアを示すＬＥＤとを設ける。そして、位置判定部４４は、心音または呼吸音が基準値を超えた場合はＬＥＤを緑色に点灯させ、基準値を超えていない場合は赤色に点灯させる。
【００９３】
そのため、心音および呼吸音の両方が基準値を超えている場合は、２つのＬＥＤが緑色に点灯する。また、どちらか一方が基準値に達しない場合は、赤・緑または緑・赤のように点灯する。
【００９４】
また、実施の形態１と同様に、被験者ごとに好ましい振幅の範囲を決めるための基準値を決定する基準値設定モード、または振幅の最大値を設定する最大値設定モードを設けてもよい。
【００９５】
＜症状検出部５＞
症状検出部５は、心音抽出部４２が抽出した心音および呼吸音抽出部４３が抽出した呼吸音の振幅、発生パターンなどを解析することにより、無呼吸状態（およびその程度）を検出する。無呼吸状態になれば、動脈血中の酸素飽和度が低下し、これに伴い心拍数が増加する。そのため、呼吸音が所定の基準値よりも小さくなり、かつ、心拍数が所定の基準値よりも増加した場合に無呼吸状態になっていると判定すればよい。
【００９６】
（計測装置４０における処理の流れ）
次に計測装置４０における処理の流れの一例について説明する。図６は、計測装置４０における処理の流れの一例を示すフローチャートである。
【００９７】
図６に示すように、まず、被験者の胸に装着された音センサ２０は、生体音のモニタリングを継続的に行い（Ｓ１１）、当該生体音を含む生体音データを解析装置１の生体音抽出部４１へ出力する。
【００９８】
生体音抽出部４１の心音抽出部４２は、生体音データを受信すると、当該生体音データから３０Ｈｚおよび７０Ｈｚの信号（心音信号）を抽出し、抽出した心音信号を位置判定部４４へ出力する（Ｓ１２）。
【００９９】
一方、呼吸音抽出部４３は、生体音データを受信すると、当該生体音データから７Ｈｚ以下の信号（呼吸音信号）を抽出し、抽出した呼吸音信号を位置判定部４４へ出力する（Ｓ１３）。
【０１００】
位置判定部４４は、心音抽出部４２が抽出した心音信号の振幅が、心音について予め設定された基準値に達しているかどうか、および、呼吸音抽出部４３が抽出した呼吸音信号の振幅が、呼吸音について予め設定された基準値に達しているかどうかに基づいて判定音を設定し、その判定音を出力するようスピーカ１０を制御する（Ｓ１４）。
【０１０１】
そして、スピーカ１０から位置判定部４４が設定した判定音が出力される（Ｓ１５）。
【０１０２】
ここで、被験者が音センサ２０の装着位置を変更した場合（Ｓ１６にてＮＯ）、ステップＳ１１からＳ１５までの処理が繰り返される。このとき、位置判定部４４は、各装着位置において算出した判定スコアを時系列に沿って記憶部７に格納し、ある時点の装着位置における判定スコアが、前回の装着位置における判定スコアよりも高い場合に、判定音の間隔を短くするなどにより、その旨を被験者に報知してもよい。逆に、ある時点の装着位置における判定スコアが、前回の装着位置における判定スコアよりも低い場合に、判定音の間隔を長くするなどにより、その旨を被験者に報知してもよい。
【０１０３】
一方、被験者が音センサ２０の装着位置を決定し（Ｓ１６にてＹＥＳ）、無呼吸症のモニタリングを開始する命令を入力すると、生体音抽出部３は、生体音データから心音信号および呼吸音信号の抽出を行い、抽出した信号を症状検出部５へ出力する。症状検出部５は、受信した心音信号および呼吸音信号から無呼吸状態の有無を判定する（Ｓ１７）。
【０１０４】
症状検出部５は、無呼吸状態が検出された場合に（Ｓ１８にてＹＥＳ）、無呼吸状態を検出した日時の情報および当該症状の程度を含む検出記録データを作成し、記憶部７に格納する（Ｓ１９）。
【０１０５】
記憶部７に格納された検出記録データの利用方法は、実施の形態１と同様のため、その説明を省略する。
【０１０６】
（変更例）
計測装置４０に２つの音センサ２０を設け、一方の音センサ２０で呼吸音を検出し、他方の音センサ２０で心音を検出してもよい。この場合には、呼吸音検出用の音センサ２０の装着位置の好ましさと、心音検出用の音センサ２０の装着位置の好ましさとを別々に判定し、被験者に報知する。呼吸音と心音とはその周波数が異なっているため、どちらの音を拾っているのかは、その周波数で区別できる。そのため、２つの音センサ２０を呼吸音検出用と心音音検出用とに区別する必要は必ずしもない。
【０１０７】
また、計測装置４０は、１つの音センサ２０を用いて、心音から心臓病に関する疾患の有無またはその程度を測定するとともに、呼吸音から呼吸器に関する疾患の有無またはその程度を測定してもよい。すなわち、２種類の生体音から１種類の症状を検出してもよいし、２種類の生体音から２種類の症状を検出してもよい。
【０１０８】
（計測装置４０の効果）
以上のように、計測装置４０では、１つの音センサ２０で２種類の生体音を検出する場合でも、音センサ２０の好ましい装着位置を被験者に知らせることができ、好ましい装着位置を知らない被験者でも適切な測定を行うことができる。
【０１０９】
（その他の変更例）
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１１０】
例えば、本発明を、人間以外の動物に適用してもよく、ペットや家畜の病状を検出するために用いてもよい。すなわち、本発明において生体音センサが装着される対象は、人間（被験者）に限定されず、人間を含めた生体である。
【０１１１】
また、上述した計測装置３０および計測装置４０の各ブロック、特に解析装置１の主制御部２は、ハードウェアロジックによって構成してもよいし、次のようにＣＰＵを用いてソフトウェアによって実現してもよい。
【０１１２】
すなわち、計測装置３０および計測装置４０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである計測装置３０および計測装置４０の制御プログラム（測定位置判定プログラム）のプログラムコード（実行形式プログラム、中間コードプログラム、ソースプログラム）をコンピュータで読み取り可能に記録した記録媒体を、上記計測装置３０および計測装置４０に供給し、そのコンピュータ（またはＣＰＵやＭＰＵ）が記録媒体に記録されているプログラムコードを読み出し実行することによっても、達成可能である。
【０１１３】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１４】
また、計測装置３０および計測装置４０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１１５】
なお、本発明は、以下のようにも表現できる。
【０１１６】
すなわち、本発明の身体情報計測装置は、特定の健康状態を観察するために最適な測定位置を取得する手段を備えることを特徴としている。
【０１１７】
また、上記身体情報計測装置は、自装置に備えられた手段の検出値を蓄積し、その検出値が最大である位置を最適な測定位置とすることが好ましい。
【０１１８】
また、複数の取得手段を備えることにより健康状態の観察精度を高めることが好ましい。
【０１１９】
また、上記身体情報計測装置は、自装置により取得されたデータを蓄積することにより状態変化を表示することが好ましい。
【０１２０】
また、上記身体情報計測装置は、自装置により取得されたデータと入力した行動情報により健康状態の改善度を表示することができることが好ましい。
【０１２１】
また、上記身体情報計測装置は、就寝中に無呼吸の状態が何度あったかを提示することが好ましい。
【０１２２】
また、上記身体情報計測装置は、体重または日中の過眠等の入力を受け付けることが好ましい。
【産業上の利用可能性】
【０１２３】
本発明は、生体音センサの好ましい装着位置をユーザに知らせることができるため、専門的知識を有さない一般のユーザが扱う診断装置、健康管理装置などに適用できる。
【符号の説明】
【０１２４】
１  解析装置（測定位置判定装置）
４  位置判定部（判定手段）
９  表示部（報知部）
１０  スピーカ（報知部）
２０  音センサ（生体音センサ）
３０  計測装置（測定位置判定装置）
４０  計測装置（測定位置判定装置）
４４  位置判定部（判定手段）
５０  人体（被験者）
【図１】
0005701533.tif 000002
【図２】
0005701533.tif 000003
【図３】
0005701533.tif 000004
【図４】
0005701533.tif 000005
【図５】
0005701533.tif 000006
【図６】
0005701533.tif 000007